(57)【要約】【課題】  光源から導光体に導かれた光を線状光にして読み取り位置に照射させる画像読取装置において、光源の特性変化等によって光源から出射される光の光量が変化した場合にも、この光量変化を速やかに検知して、光源から導光体を通して出射される線状光の光量や配光状態の補正が速やかに適切に行えるようにする。【解決手段】  画像読取装置が、光源３２Ａ，３２Ｂと、光源からの光を線状光にして読み取り位置に照射させる導光体３１と、読み取り部からの反射光を読み取る画像読取り素子６と、上記の光源から出射される光の光量を検知する光量検知センサ３３Ａ，３３Ｂとを備えるようにした。【選択図】  図２
2011234019.tif 000002
【特許請求の範囲】
【請求項１】
光源と、光源からの光を線状光にして読み取り位置に照射させる導光体と、読み取り部からの反射光を読み取る画像読取り素子と、上記の光源から出射される光の光量を検知する光量検知センサとを備えたことを特徴とする画像読取装置。
【請求項２】
請求項１に記載の画像読取装置において、上記の光源がＬＥＤで構成されている画像読取装置。
【請求項３】
請求項１又は２に記載の画像読取装置において、上記の光源が導光体の長手方向の少なくとも一端に設けられている画像読取装置。
【請求項４】
請求項１〜３の何れか１項に記載の画像読取装置において、上記の光源が導光体の長手方向の両端に設けられている画像読取装置。
【請求項５】
請求項１〜４の何れか１項に記載の画像読取装置において、上記の光量検知センサが導光体を挟んで光源と対向する側に設けられている画像読取装置。
【請求項６】
請求項１〜５の何れか１項に記載の画像読取装置において、光源からの光を線状光にして読み取り位置に照射させる導光体が、読み取り位置の両側に設けられている画像読取装置。
【請求項７】
請求項１〜６の何れか１項に記載の画像読取装置において、上記の光源が、照射する光の波長の異なる複数の光源で構成されている画像読取装置。
【請求項８】
請求項７に記載の画像読取装置において、光源から出射される光の光量を検知する光量検知センサとして、上記の複数の光源に対応させてそれぞれの波長の光の光量を検知する複数の光量検知センサが設けられている画像読取装置。
【発明の詳細な説明】
【技術分野】
【０００１】
本発明は、複写機，ファクシミリ及びこれらの複合機等の画像形成装置において、画像を読み取るのに使用される画像読取装置に関するものである。特に、光源から導光体に導かれた光を線状光にして読み取り位置に照射させるようにした画像読取装置において、光源の特性変化等によって光源から出射される光の光量が変化した場合にも、この光量変化を速やかに検知して、光源から導光体を通して出射される線状光の光量や配光状態の補正が速やかに適切に行えるようにした点に特徴を有するものである。
【背景技術】
【０００２】
複写機，ファクシミリ及びこれらの複合機等の画像形成装置においては、文書等の画像を電子化したり、複写したりするのに画像読取装置が使用されている。
【０００３】
そして、このような画像読取装置としては、等倍光学系を用いたものや、縮小光学系を用いたものが存在している。
【０００４】
ここで、等倍光学系を用いた画像読取装置は、小型化が可能で文書の読み取りに適するが、焦点深度が浅くて、立体物の読み取りには適していない。一方、縮小光学系を用いた画像読取装置は、立体物の読み取りが可能になるが、光が照射された読み取り位置から画像読取り素子までの光路長を長くする必要があり、等倍光学系を用いたものに比べて大型化する。
【０００５】
そして、縮小光学系を用いた画像読取装置においては、一般に、図１に示すように、原稿ガラス板１の上に載置された原稿２に対して、モータ（図示せず）等によって駆動される第１スライダーユニット３に設けられた光源３ａと、この光源３ａから照射された光を反射させる反射板３ｂとから、光を原稿２の読み取り位置Ｐに照射させ、原稿２から反射された画像情報を含む反射光を第１スライダーユニット３に設けられた第１反射鏡３ｃにより反射させるようにしている。
【０００６】
また、この第１反射鏡３ｃにより反射された画像情報を含む反射光を、モータ（図示せず）等によって駆動される第２スライダーユニット４に設けられた第２反射鏡４ａと第３反射鏡４ｂとにより反射させ、この反射光をレンズ５により画像読取り素子６の受光面に結像させて受光させるようにしている。
【０００７】
そして、上記の第１スライダーユニット３と第２スライダーユニット４とを走査させて、原稿ガラス板１の上における原稿２全体を読み取るようにしている。
【０００８】
ここで、上記の光源３ａとして、従来においては、蛍光灯やハロゲンランプ等が一般に使用されていたが、省電力・低発熱の観点からＬＥＤ光源や有機ＥＬ発光素子を用いることが注目されている。
【０００９】
そして、近年においては、特許文献１，２等に示されるように、長尺状の導光体の端部にＬＥＤ光源を設け、このＬＥＤ光源からの光を導光体により線状光として照射させるようにしたものが提案されている。
【００１０】
ここで、このようにＬＥＤ光源からの光を導光体により線状光として照射させる場合、ＬＥＤ光源から導光体を通して照射される線状光の光量や配光状態を適切に設定することが必要になる。
【００１１】
そして、ＬＥＤ光源から導光体を通して照射される線状光の光量や配光状態を適切に設定するにあたっては、上記の第１スライダーユニットと第２スライダーユニットとを移動させて、ＬＥＤ光源が設けられた導光体を、原稿ガラス板の適当な位置、一般的には原稿ガラス板の端部の位置に設けられた白色基準部材となるシェーディングシートの位置に導き、このシェーディングシートに導光体を通して線状光を照射し、その反射光を上記のようにして画像読取り素子の受光面に受光させ、ＬＥＤ光源から導光体を通して照射される線状光の光量や画像読取り素子における増幅率を補正して適正化させることが行われている。
【００１２】
ここで、ＬＥＤ光源の特性変化等によって、このＬＥＤ光源から出射される光の光量が変化した場合において、ＬＥＤ光源から導光体を通して照射される線状光の光量や配光状態を適切に補正するために、その都度、上記のように第１スライダーユニットと第２スライダーユニットとを移動させてＬＥＤ光源が設けられた導光体をシェーディングシートの位置に導き、シェーディングシートに導光体を通して線状光を照射させて画像読取り素子の受光面に受光させ、ＬＥＤ光源から導光体を通して照射される線状光の光量や画像読取り素子における増幅率を補正する作業が必要になる。
【００１３】
しかし、このような作業は面倒で時間を要し、画像形成装置における画像形成効率が大きく低下するという問題があった。特に、特許文献２に示されるように、導光体の両端部にそれぞれＬＥＤ光源を設け、このＬＥＤ光源を順番に点灯させて調整を行う場合には、さらに作業は面倒で時間を要し、多量の原稿を自動で送る原稿自動送り装置を設けた画像読取装置においては、画像形成装置における画像形成効率の低下が大きな問題となる。
【先行技術文献】
【特許文献】
【００１４】
【特許文献１】特開２００７−３００５３６号公報
【特許文献２】特開２００９−２５６７９号公報
【発明の開示】
【発明が解決しようとする課題】
【００１５】
本発明は、光源から導光体に導かれた光を線状光にして読み取り位置に照射させるようにした画像読取装置における上記のような問題を解決することを課題とするものであり、光源の特性変化等によって光源から出射される光の光量が変化した場合にも、この光量変化を速やかに検知して、光源から導光体を通して出射される線状光の光量や配光状態の補正が速やかに適切に行えるようにし、画像形成装置における画像形成効率が低下するのを適切に防止することを課題とするものである。
【課題を解決するための手段】
【００１６】
本発明の画像読取装置においては、上記のような課題を解決するため、光源と、光源からの光を線状光にして読み取り位置に照射させる導光体と、読み取り部からの反射光を読み取る画像読取り素子と、上記の光源から出射される光の光量を検知する光量検知センサとを備えるようにした。
【００１７】
そして、この画像読取装置においては、光源からの光を導光体により線状光にして読み取り位置に照射させ、読み取り部からの反射光を画像読取り素子によって読み取るにあたり、上記の光源から出射される光の光量を光量検知センサによって検知するようにしている。
【００１８】
ここで、この画像読取装置においては、上記の光源として、一般にＬＥＤ光源を用いることができる。
【００１９】
また、この画像読取装置においては、光源を導光体の長手方向の少なくとも一端に設けることができ、特に、導光体を通して照射される線状光の配光性を向上させるためには、光源を導光体の長手方向の両端に設けることが好ましい。
【００２０】
また、光源から出射される光の光量を検知する光量検知センサを設けるにあたり、光源を導光体の長手方向の一端に設けた場合、光源に対して光量検知センサを導光体と反対側の位置に設けるようにしたり、導光体を挟んで光量検知センサを光源と対向する位置に設けるようにしたりすることができる。なお、導光体を挟んで光量検知センサを光源と対向する位置に設けた場合、光量検知センサは導光体を通過する光を検知するため、導光体と反対側に光を出射させる必要がなく、光源から出射される光のロスを少なくすることができる。
【００２１】
また、光源からの光を線状光にして読み取り位置に照射させる導光体を、読み取り位置の両側に設けることができる。このようにすると、読み取り位置の両側から光が均一に照射されるようになり、読み込みを行うものが凹凸のある立体的なものにおいても、その両側から一定した光が照射されて、影の少ない良好な読み込みが行えるようになる。
【００２２】
また、上記の光源として、照射する光の波長の異なる複数の光源を用いることができる。そして、この複数の光源を用いて色を一定化させると、カラーチャート等を用いて色味を補正する動作を行わなくても、色味を適切に補正することができるようになる。そして、カラーとモノクロとの両方の読み取りを行う画像読取装置において、カラーの読み取りを行う場合には、色を忠実に再現させるために色味を白色光に補正する一方、モノクロの読み取りを行う場合には、人間の被視感度が強い緑色の強い光に補正するという作業も容易に行えるようになる。
【００２３】
また、上記のように照射する光の波長の異なる複数の光源を用いた場合において、各光源に対応させてそれぞれの波長の光の光量を検知する複数の光量検知センサを設けることができる。このようにすると、上記の複数の光源を同時に発光させた場合に、それぞれの複数の光源から出射される光の光量を各光量検知センサによって検知することができるようになり、各光源から光量を短時間で簡単かつ適切に検知できるようになり、色味の補正をより短時間で適切に行えるようになる。
【発明の効果】
【００２４】
本発明における画像読取装置においては、光源からの光を導光体により線状光にして読み取り位置に照射させ、読み取り部からの反射光を画像読取り素子によって読み取るにあたり、上記のように光源から出射される光の光量を光量検知センサによって検知するようにしたため、光源の特性変化等によって光源から出射される光の光量が変化した場合においても、この光量変化を上記の光量検知センサによって速やかに検知して、光源から照射させる光量を適切に補正することができるようになる。
【００２５】
このため、本発明における画像読取装置においては、光源の特性変化等によって光源から出射される光の光量が変化した場合に、光源から導光体を通して出射される線状光の光量や配光状態を補正するために、従来のように、第１スライダーユニットと第２スライダーユニットとを移動させてＬＥＤ光源が設けられた導光体をシェーディングシートの位置に導き、シェーディングシートに導光体を通して線状光を照射させて画像読取り素子の受光面に受光させるという面倒な作業を行う必要がなくなり、光源から照射させる光量を適切に補正して、光源から導光体を通して出射される線状光の光量や配光状態を速やかに適切に補正することができ、画像形成装置における画像形成効率が低下するのを適切に防止できるようになる。
【図面の簡単な説明】
【００２６】
【図１】従来の画像読取装置によって原稿ガラス板の上に載置された原稿を読み取る状態を示した概略説明図である。
【図２】本発明の実施形態１の画像読取装置において使用する光源ユニット等の構成を示した概略説明図である。
【図３】実施形態１の画像読取装置において、原稿ガラス板の上に載置された原稿を読み取る状態を示した概略説明図である。
【図４】実施形態１の画像読取装置において、各ＬＥＤ光源を発光させた場合における配光分布及び両方のＬＥＤ光源を発光させた場合における理想の配光分布を示した概略説明図である。
【図５】本発明の実施形態２の画像読取装置において使用する光源ユニット等の構成を示した概略説明図である。
【図６】本発明の実施形態３の画像読取装置において使用する光源ユニット等の構成を示した概略説明図である。
【図７】本発明の実施形態４の画像読取装置において使用する光源ユニット等の構成を示した概略説明図である。
【図８】本発明の実施形態５の画像読取装置において使用する光源ユニット等の構成を示した概略説明図である。
【図９】本発明の実施形態６の画像読取装置において使用する光源ユニット等の構成を示した概略説明図である。
【発明を実施するための最良の形態】
【００２７】
次に、この発明の実施形態に係る画像読取装置を添付図面に基づいて具体的に説明する。なお、本発明に係る画像読取装置は、下記の実施形態に示したものに限定されず、その要旨を変更しない範囲において適宜変更して実施できるものである。
【００２８】
（実施形態１）
実施形態１の画像読取装置においては、図２に示すように、その光源ユニット３０Ａにおける光源に２つのＬＥＤ光源３２Ａ，３２Ｂを用い、導光体３１の長手方向の両側の端部にそれぞれのＬＥＤ光源３２Ａ，３２Ｂを設けると共に、各ＬＥＤ光源３２Ａ，３２Ｂにおける導光体３１と反対側の面に、各ＬＥＤ光源３２Ａ，３２Ｂから導光体３１と反対側に出射される光の光量を検知する光量検知センサ３３Ａ，３３Ｂを設けている。
【００２９】
また、上記の各光量検知センサ３３Ａ，３３Ｂによって検知された各ＬＥＤ光源３２Ａ，３２Ｂからの光の光量を制御装置４０に出力し、このように検知された光量に基づき、この制御装置４０により、出力装置４１から各ＬＥＤ光源３２Ａ，３２Ｂに出力させる出力を制御するようにしている。
【００３０】
そして、この画像読取装置においては、上記の各ＬＥＤ光源３２Ａ，３２Ｂから出射された光を、上記の導光体３１により導光体３１の長手方向に伸びた線状光にして読み取り位置Ｐに直接照射させると共に、この導光体３１と対向するようにして読み取り位置Ｐを介して反対側に設けられた反射板３４に上記の線状光を照射し、この反射板３４によって反射された光を上記の読み取り位置Ｐに照射させ、読み取り位置Ｐに対して両側から光を照射させるようにしている。
【００３１】
ここで、この実施形態１の画像読取装置においても、図３に示すように、図１に示した従来の画像読取装置と同様に、上記の光源ユニット３０と反射板３４とをモータ（図示せず）等によって駆動される第１スライダーユニット３に設け、原稿ガラス板１の上に載置された原稿２の読み取り位置Ｐに対して、上記のようにその両側から光を照射させ、原稿２から反射された画像情報を含む反射光を第１スライダーユニット３に設けられた第１反射鏡３ｃにより反射させるようにしている。
【００３２】
また、この第１反射鏡３ｃにより反射された画像情報を含む反射光を、モータ（図示せず）等によって駆動される第２スライダーユニット４に設けられた第２反射鏡４ａと第３反射鏡４ｂとにより反射させ、この反射光をレンズ５により画像読取り素子６の受光面に結像させて受光させるようにしている。
【００３３】
そして、この画像読取装置においても、従来の画像読取装置と同様に、上記の第１スライダーユニット３と第２スライダーユニット４とを走査させて、原稿ガラス板１の上における原稿２全体を読み取るようにしている。
【００３４】
ここで、この実施形態１の画像読取装置においては、出力装置４１から各ＬＥＤ光源３２Ａ，３２Ｂに出力させる出力を制御するにあたり、各ＬＥＤ光源３２Ａ，３２Ｂを発光させ、白色基準部材となるシェーディングシート（図示せず）に対して、上記のように導光体３１と反射板３４とから線状光を照射し、シェーディングシートからの反射光を上記のようにして画像読取り素子６の受光面に結像させて受光し、図４に示すように、両方のＬＥＤ光源３２Ａ，３２Ｂを発光させた場合における理想の配光分布を求めるようにする。
【００３５】
また、理想の配光分布の時点における各ＬＥＤ光源３２Ａ，３２Ｂからの光量を、それぞれ対応して設けられた各光量検知センサ３３Ａ，３３Ｂにより検知し、各ＬＥＤ光源３２Ａ，３２Ｂにおける理想の光量を上記の制御装置４０に設けられたメモリー４２に記憶させるようにしている。
【００３６】
そして、上記の各ＬＥＤ光源３２Ａ，３２Ｂのばらつきや、温度変化や、経時変化等により、各ＬＥＤ光源３２Ａ，３２Ｂにおける発光状態が変化して、各光量検知センサ３３Ａ，３３Ｂにより検知された光量が変化した場合には、上記の制御装置４０のメモリー４２に記憶された各ＬＥＤ光源３２Ａ，３２Ｂにおける理想の光量と比較し、この制御装置４０により、上記の出力装置４１から各ＬＥＤ光源３２Ａ，３２Ｂに出力させる出力を調整し、各光量検知センサ３３Ａ，３３Ｂによって検知される光量が各ＬＥＤ光源３２Ａ，３２Ｂにおける理想の光量になるように調整する。
【００３７】
このようにすると、各ＬＥＤ光源３２Ａ，３２Ｂにおける発光状態が変化した場合に、その都度、白色基準部材となるシェーディングシートに対して、上記のように導光体３１と反射板３４とから線状光を照射し、シェーディングシートからの反射光を上記のようにして画像読取り素子６の受光面に結像させて受光させて、理想の配光分布になるように調整する必要がなく、各光量検知センサ３３Ａ，３３Ｂによって検知された光量に基づいて、各ＬＥＤ光源３２Ａ，３２Ｂへの出力を調整し、速やかに理想の配光分布になるように調整することが簡単に行えるようになる。
【００３８】
（実施形態２）
実施形態２の画像読取装置においては、図５に示すように、上記の実施形態１の画像読取装置と使用する光源ユニットだけを変更させるようにしている。
【００３９】
ここで、実施形態２の画像読取装置における光源ユニット３０Ｂにおいては、図５に示すように、導光体３１の長手方向の両端部に２つのＬＥＤ光源３２Ａ，３２Ｂを設けると共に、この導光体３１の長手方向のそれぞれの端部に傾斜して幅広になった案内部３１ａを設け、上記の各ＬＥＤ光源３２Ａ，３２Ｂと反対側における導光体３１の案内部３１ａに、それぞれのＬＥＤ光源３２Ａ，３２Ｂから導光体３１を通して導かれる光の光量を検知する光量検知センサ３３Ａ，３３Ｂを設けている。
【００４０】
そして、この画像読取装置においても、上記の各ＬＥＤ光源３２Ａ，３２Ｂから出射された光を、上記の導光体３１により導光体３１の長手方向に伸びた線状光にして読み取り位置Ｐに直接照射させると共に、この導光体３１と対向するようにして読み取り位置Ｐを介して反対側に設けられた反射板３４に上記の線状光を照射し、この反射板３４によって反射された光を上記の読み取り位置Ｐに照射させ、読み取り位置Ｐに対して両側から光を照射させるようにしている。
【００４１】
そして、この画像読取装置においては、各ＬＥＤ光源３２Ａ，３２Ｂから出射された光の光量を、導光体３１を通して反対側の案内部３１ａに設けられた各光量検知センサ３３Ａ，３３Ｂによって検知し、これに基づいて、各ＬＥＤ光源３２Ａ，３２Ｂへの出力を調整させるようにしている。
【００４２】
このように、この画像読取装置においては、各ＬＥＤ光源３２Ａ，３２Ｂからの光の光量を、導光体３１を通して反対側の案内部３１ａに設けられた各光量検知センサ３３Ａ，３３Ｂによって検知するため、上記の実施形態１のように各ＬＥＤ光源３２Ａ，３２Ｂから導光体３１と反対側に光を出射させる必要がなくなる。このため、各ＬＥＤ光源３２Ａ，３２Ｂの導光体３１と対面する以外の面を反射部材等（図示せず）で被覆させ、各ＬＥＤ光源３２Ａ，３２Ｂからの光を全て導光体３１に導くようにすることができ、各ＬＥＤ光源３２Ａ，３２Ｂから出射された光を有効に利用できるようになる。
【００４３】
（実施形態３）
実施形態３の画像読取装置においては、図６に示すように、光源ユニットとしては、上記の実施形態２の画像読取装置における光源ユニット３０Ｂと同じものを用いるようにしている。
【００４４】
そして、この実施形態３の画像読取装置においては、上記の光源ユニット３０Ｂと読み取り位置Ｐを介して反対側の位置に、同じ光源ユニット３０Ｂを上記の光源ユニット３０Ｂと対向するように設け、読み取り位置Ｐの両側における各光源ユニット３０Ｂの導光体３１を通して出射された線状光を、読み取り位置Ｐに直接照射させるようにしている。
【００４５】
このようにすると、読み取り位置Ｐの両側に設けられた各光源ユニット３０Ｂから十分な光が読み取り位置Ｐに照射されるようになり、読み込みを行うものが凹凸のある立体的なものにおいても、その両側から一定した光が照射されて、影の少ない良好な読み込みが行えるようになる。
【００４６】
（実施形態４）
実施形態４の画像読取装置においては、図７に示すように、上記の実施形態３の場合と同様に、実施形態２の画像読取装置における光源ユニット３０Ｂと同じ光源ユニット３０Ｂを読み取り位置Ｐの両側に設けるようにしている。
【００４７】
そして、この実施形態４の画像読取装置においては、上記の各光源ユニット３０Ｂにおける各導光体３１の両側にそれぞれ保持部材３５を設け、各導光体３１の片側に設けられたＬＥＤ光源３２Ａと光量検知センサ３３Ｂとを一つの保持部材３５によって保持させると共に、各導光体３１の反対側に設けられたＬＥＤ光源３２Ｂと光量検知センサ３３Ａとをもう一つの保持部材３５に保持させるようにして、２つの保持部材３５を２つの光源ユニット３０Ｂに架け渡すように設けている。
【００４８】
このようにすると、各光源ユニット３０Ｂの位置決めが簡単に行えるようになると共に、それぞれの保持部材３５に保持されるＬＥＤ光源３２Ａと光量検知センサ３３Ｂ、ＬＥＤ光源３２Ｂと光量検知センサ３３Ａを接続させるハーネスや基板を構成する電子部品等を統合することができ、部品点数を削減できるようになる。
【００４９】
（実施形態５）
実施形態５の画像読取装置においては、図８に示すように、光源ユニット３０Ｃとして、導光体３１の長手方向の両端部に２つのＬＥＤ光源３２Ａ，３２Ｂを設けると共に、各ＬＥＤ光源３２Ａ，３２Ｂにおける導光体３１と反対側の面に、各ＬＥＤ光源３２Ａ，３２Ｂから導光体３１と反対側に出射された光の光量を検知する光量検知センサ３３Ａ，３３Ｂを設けたものを用いると共に、この光源ユニット３０Ｃと読み取り位置Ｐを介して反対側の位置に反射板３４を設けるようにしている。
【００５０】
ここで、この実施形態５の画像読取装置における光源ユニット３０Ｃにおいては、上記の各ＬＥＤ光源３２Ａ，３２Ｂとして、それぞれ赤の波長の光を照射する赤色ＬＥＤ光源３２Ａｒ，３２Ｂｒと、緑の波長の光を照射する緑色ＬＥＤ光源３２Ａｇ，３２Ｂｇと、青の波長の光を照射する青色ＬＥＤ光源３２Ａｂ，３２Ｂｂとの３色の光源を用いている。
【００５１】
そして、一方の３色のＬＥＤ光源３２Ａｒ，３２Ａｇ，３２Ａｂから導光体３１と反対側に出射された光の光量を上記の光量検知センサ３３Ａによって検知すると共に、他方の３色のＬＥＤ光源３２Ｂｒ，３２Ｂｇ，３２Ｂｂから導光体３１と反対側に出射された光の光量を上記の光量検知センサ３３Ｂによって検知するようにしている。
【００５２】
ここで、上記の３色のＬＥＤ光源３２Ａｒ，３２Ａｇ，３２Ａｂ及び３色のＬＥＤ光源３２Ｂｒ，３２Ｂｇ，３２Ｂｂからそれぞれの色彩の光を照射させて白色光を得る場合、各色彩の光の光量を各光量検知センサ３３Ａ，３３Ｂにより検知して調整させると、色味が一定した白色光を安定して出射できるようになり、カラーチャート等を用いて色味を補正するという面倒な作業を行う必要もなくなる。
【００５３】
なお、この実施形態５においては、上記の光源ユニット３０Ｃと読み取り位置Ｐを介して反対側の位置に反射板３４を設けるようにしたが、この反射板３４に代えて、上記の光源ユニット３０Ｃと同じ光源ユニット３０Ｃを設けるようにすることもできる。
【００５４】
（実施形態６）
実施形態６の画像読取装置においては、図９に示すように、光源ユニット３０Ｄとして、導光体３１の長手方向の一方の端部に、ＬＥＤ光源３２Ａとして、上記の実施形態５と同様に、赤の波長の光を照射する赤色ＬＥＤ光源３２Ａｒと、緑の波長の光を照射する緑色ＬＥＤ光源３２Ａｇと、青の波長の光を照射する青色ＬＥＤ光源３２Ａｂを設けている。一方、この導光体３１の長手方向の他方の端部に、上記のＬＥＤ光源３２Ａから導光体３１を通して照射される光の光量を検知する光量検知センサ３３Ａとして、赤色ＬＥＤ光源３２Ａｒからの光のみを検知する赤色光量検知センサ３３Ａｒと、緑色ＬＥＤ光源３２Ａｇからの光のみを検知する緑色光量検知センサ３３Ａｇと、青色ＬＥＤ光源３２Ａｂからの光のみを検知する青色光量検知センサ３３Ａｂとを設けている。
【００５５】
このように、赤色ＬＥＤ光源３２Ａｒからの光のみを検知する赤色光量検知センサ３３Ａｒと、緑色ＬＥＤ光源３２Ａｇからの光のみを検知する緑色光量検知センサ３３Ａｇと、青色ＬＥＤ光源３２Ａｂからの光のみを検知する青色光量検知センサ３３Ａｂとを設けると、上記の３色のＬＥＤ光源３２Ａｒ，３２Ａｇ，３２Ａｂを同時に発光させても、それぞれの色彩の光の光量を対応する３色の光量検知センサ３３Ａｒ，３３Ａｇ，３３Ａｂによって適切に検知できるようになる。
【００５６】
このため、上記の３色のＬＥＤ光源３２Ａｒ，３２Ａｇ，３２Ａｂからそれぞれの色彩の光を照射させて白色光を得る場合、上記の３色の光量検知センサ３３Ａｒ，３３Ａｇ，３３Ａｂによって各色彩の光の光量を速やかに検知して各色彩の光の光量を調整することができ、色味が一定した白色光の調整が速やかに行えるようになる。
【００５７】
なお、この実施形態６においても、上記の光源ユニット３０Ｄと読み取り位置Ｐを介して反対側の位置に反射板３４を設けるようにしたが、この反射板３４に代えて、上記の光源ユニット３０Ｄと同じ光源ユニット３０Ｄを設けるようにすることもできる。
【符号の説明】
【００５８】
１  原稿ガラス板
２  原稿
３  第１スライダーユニット
３ｃ  第１反射鏡
４  第２スライダーユニット
４ａ  第２反射鏡
４ｂ  第３反射鏡
５  レンズ
６  画像読取り素子
３０Ａ，３０Ｂ，３０Ｃ，３０Ｄ  光源ユニット
３１  導光体
３１ａ  案内部
３２Ａ，３２Ｂ  ＬＥＤ光源（光源）
３２Ａｒ，３２Ｂｒ  赤色ＬＥＤ光源
３２Ａｇ，３２Ｂｇ  緑色ＬＥＤ光源
３２Ａｂ，３２Ｂｂ  青色ＬＥＤ光源
３３Ａ，３３Ｂ  光量検知センサ
３３Ａｒ  赤色光量検知センサ
３３Ａｇ  緑色光量検知センサ
３３Ａｂ  青色光量検知センサ
３４  反射板
４０  制御装置
４１  出力装置
４２  メモリー
Ｐ  読み取り位置
【図１】
2011234019.tif 000003
【図２】
2011234019.tif 000004
【図３】
2011234019.tif 000005
【図４】
2011234019.tif 000006
【図５】
2011234019.tif 000007
【図６】
2011234019.tif 000008
【図７】
2011234019.tif 000009
【図８】
2011234019.tif 000010
【図９】
2011234019.tif 000011